(57)【特許請求の範囲】
【請求項１】
検知エリア内での人の存否を検知する複数個の人感センサと、複数の照明器具とを備え、人感センサおよび照明器具が複数のグループに分けられるとともに、各グループ内で人感センサにより検知された人数に基づいて、少なくともそのグループ内のあらかじめ定められた数の照明器具の点灯状態を変化させる照明装置において、グループ内で検知された人数が規定数以上であると、隣接するグループの照明器具を点灯させて、規定数未満のときよりも多くの照明器具を点灯させることを特徴とする照明装置。
【請求項２】
検知エリア内での人の存否を検知する複数個の人感センサと、複数の照明器具とを備え、人感センサおよび照明器具が複数のグループに分けられるとともに、各グループ内で人感センサにより検知された人数に基づいて、少なくともそのグループ内のあらかじめ定められた数の照明器具の点灯状態を変化させる照明装置において、グループ内で検知された人数が規定数以上であると、あらかじめ複数のグループを含むように設定した大グループ内の照明器具を点灯させて、規定数未満のときよりも多くの照明器具を点灯させることを特徴とする照明装置。
【請求項３】
各照明器具がそれぞれ人感センサを備えることを特徴とする請求項１または請求項２記載の照明装置。
【発明の詳細な説明】
【０００１】
【発明の属する技術分野】
本発明は、人感センサの検知エリア内での人の存否を検知し、検知結果に基づいて複数の照明器具の点灯状態を決定する照明装置に関するものである。
【０００２】
【従来の技術】
従来より、人体検知センサ（以下、人感センサと略称する）を備えた照明器具が提供されている。すなわち、照明器具の近傍に設定した検知エリア内に人が存在することを人感センサで検知すると照明負荷を点灯させるのである。この構成では人が存在しないときには照明負荷を消灯させておくことにより、照明が無駄に行なわれるのを防止して省エネルギを図ることができる。
【０００３】
ところで、この種の照明器具は別途の装置を必要とせず照明器具が単独で動作するものであって、比較的狭い部屋や玄関のように１台の照明器具で照明をまかなうことができる場合には十分である。しかしながら、オフィスフロアのように多数の照明器具が配置されているような場所では、各照明器具が個別に人を検知して点灯するのでは、人の存在場所の近傍だけで照明器具が点灯することになり、点灯状態と消灯状態との照明器具がまばらに点在することになって快適さが損なわれる。もちろん、このような動作も残業時のようにオフィスに残っている人数が少ない場合には、とくに問題はなく、むしろ省エネルギになるという利点があるが、人が多い通常時にはコミュニケーションの妨げになるなどの問題が生じるから、省エネルギよりも快適性を優先しなければならない。
【０００４】
そこで、照明器具とは別に人感センサを設け、照明器具をグループに分けるとともに各グループに人感センサを対応付けたものが考えられている。この技術を用いて照明器具のグループをオフィス内での部署単位に対応付けておけば、部署単位で照明器具を点灯・消灯させることができる。したがって、昼間のように人が比較的多いときに快適に作業することができ、しかも不要な部署では照明器具が消灯されるから、ある程度の省エネルギの効果が得られることになる。しかしながら、残業時のようにオフィスに残っている人数が少ないときにも照明器具がグループ単位で点灯するから、省エネルギの効果が十分であるとは言えないものである。
【０００５】
上記２例では、人数の多寡によって快適さと省エネルギとが両立できなくなる場合が生じている。すなわち、人数の多寡に応じて必要となる照明器具の点灯数や明るさが異なるのであるから、人数に応じて照明器具の点灯数や明るさを調節すれば人数によらずに快適さと省エネルギとを両立することができると考えられる。このような観点から、人感センサが人を検知しているか否かに応じて、その人感センサに対応付けた照明器具の明るさを調節するものが提案されている。
【０００６】
たとえば、直下に人がいる照明器具をもっとも明るく点灯させ、人を検知していない人感センサに対応する照明器具は光出力を低くして点灯させることが考えられている。この構成では、人数が少ないときにはグループごとに複数の照明器具をまとめて点灯させる場合よりも省エネルギになるが、人数が多いときでも直下に人がいない場所では照明器具が暗く点灯しているから、人がいない場所に配置されている照明器具を挟んでコミュニケーションをとる場合などでは、違和感が生じて快適さが損なわれる。また、人がいないときに光出力を低くしているとはいうものの照明器具を点灯させているから、全体としての省エネルギの効果が満足できるものではない。
【０００７】
また、図２９に示すように、人Ｍが存在する場所の周辺に配置されている照明器具１０を点灯させるものもある（点灯中の照明器具１０を白抜き、消灯中の照明器具１０を斜線付きで示してある）。しかしながら、人数の少ないときには各人Ｍの周囲のみが明るくなり、人Ｍと人Ｍとの間が暗くなるから、コミュニケーションを考慮すると違和感が生じて快適さに欠けるものである。
【０００８】
さらに、従来の人感センサ付きの照明器具では、検知エリア内に人が存在している期間に人が存在しないと誤認識するのを避けるために、人が検知されなくなってから所定の点灯保持時間は照明器具を点灯させ続けるものが多い。このような構成を採用すると、通路や部屋間を移動する場合のように人感センサの検知エリアを単に通過するだけであっても、上述した点灯保持時間は照明器具が点灯し続けるものであるから、照明器具を無駄に点灯させることになる。この問題を解決するには、点灯保持時間を短くすることが考えられるが、点灯保持時間を短くすると、人感センサの検知エリア内で人がとどまっているときに人感センサで人が検知されなくなって人が存在しないと誤認識されることがある。これは、人感センサでは一般に焦電素子のような微分型のセンサを用いて赤外線量の入射量の変化を検出しているからである。
【０００９】
【発明が解決しようとする課題】
上述のように、従来構成では、省エネルギと快適さとを人数の多寡にかからわず両立しているものはなく、これを実現することが臨まれている。本発明は上記事由に鑑みて為されたものであり、その目的は、省エネルギと快適さとを人数の多寡にかからわず両立可能な照明装置を提供することにある。
【００１０】
【課題を解決するための手段】
請求項１の発明は、検知エリア内での人の存否を検知する複数個の人感センサと、複数の照明器具とを備え、人感センサおよび照明器具が複数のグループに分けられるとともに、各グループ内で人感センサにより検知された人数に基づいて、少なくともそのグループ内のあらかじめ定められた数の照明器具の点灯状態を変化させる照明装置において、グループ内で検知された人数が規定数以上であると、隣接するグループの照明器具を点灯させて、規定数未満のときよりも多くの照明器具を点灯させるものである。
【００１１】
請求項２の発明は、検知エリア内での人の存否を検知する複数個の人感センサと、複数の照明器具とを備え、人感センサおよび照明器具が複数のグループに分けられるとともに、各グループ内で人感センサにより検知された人数に基づいて、少なくともそのグループ内のあらかじめ定められた数の照明器具の点灯状態を変化させる照明装置において、グループ内で検知された人数が規定数以上であると、あらかじめ複数のグループを含むように設定した大グループ内の照明器具を点灯させて、規定数未満のときよりも多くの照明器具を点灯させるものである。
【００１２】
請求項３の発明は、請求項１又は２の発明において、各照明器具がそれぞれ人感センサを備えるものである。
【００１３】
【発明の実施の形態】
（基本構成）
本基本構成では、図１に示すように、複数の照明器具１０が信号線Ｌｓを介して互いに接続される。また、各照明器具１０にはそれぞれ電源線Ｌｐが接続される。各照明器具１０は、蛍光灯のような照明負荷１１と人感センサ１２とを備え天井に配置されている。照明負荷１１は、人感センサ１２および通信部１４が接続された制御部１３からの制御信号に基づいて制御される。通信部１４は信号線Ｌｓに接続されており、他の照明器具１０との間で信号線Ｌｓを通して人感センサ１２による検知情報を授受し、制御部１３から出力された情報を信号線Ｌｓに送出したり、信号線Ｌｓからの情報を制御部１３に与えたりする。したがって、他の照明器具１０に設けた人感センサ１２による検知情報に基づいて他の照明器具１０と連動して照明負荷１１を制御することになる。つまり、個々の照明器具１０に設けた制御部１３がそれぞれ他の照明器具１０からの情報を受け、その照明器具１０の照明負荷１１（照明器具１０の照明負荷１１が点灯ないし消灯する場合について、以下では照明器具１０が点灯ないし消灯と記述する）を点灯させるか否かを判断するのである。また、本基本構成においては照明負荷１１が点灯した後に消灯させる際には、照明が不要になったという条件の成立から一定の点灯保持時間は点灯状態を継続した後に消灯させるようになっている。これは、人感センサ１２によって人が検知されなくなってからも点灯保持時間は点灯状態を継続することで、人感センサ１２の誤検知による照明負荷１１の急な消灯を防止するためである。
【００１４】
複数設けられている照明器具１０は適宜にグループ分けされる。ここでは、図２に示すように、３つのグループＧ３〜Ｇ３にグループ分けされているものとする。本基本構成は、人数が少ないときには各グループＧ１〜Ｇ３において照明器具１０の直下（照明器具１０に設けた人感センサ１２の検知エリア内）に人がいるときに、その照明器具１０を点灯させ、人数が多いときには各グループＧ１〜Ｇ３ごとにすべての照明負荷１１を点灯させる点が特徴になっている。人数はグループＧ１〜Ｇ３の中で人を検知している人感センサ１２の個数に対応するとみなしている。
【００１５】
たとえば、図３に示すように、人Ｍが１人だけであってグループＧ１のＡで示した照明器具１０（以下では、「照明器具Ａ」のように記述する）の直下に人Ｍが来たときには、照明器具Ａが点灯するとともに照明器具Ａの直下に人Ｍが存在することをグループＧ１の他の照明器具１０に信号線Ｌｓを介して通知する。他の照明器具１０への通知は照明器具Ａの直下に人Ｍが存在する間は定期的に行なわれる。ここで、グループＧ１内の他の照明器具１０ではグループＧ１内で１つの照明器具Ａしか人Ｍを検知していないと認識するから点灯しないと判断する。つまり、この状態では人Ｍが直下に存在する照明器具Ａのみが点灯する（点灯している状態を白抜きで示し、消灯している状態を斜線で示している）。
【００１６】
ここで、図４のように人Ｍが照明器具Ｂの直下に移動すると、照明器具Ｂが点灯し、照明負荷Ａの照明負荷１１は点灯保持時間の経過後に消灯する。このとき照明器具ＢはグループＧ１内の他の照明器具１０に人の存在を定期的に通知することになる。また、この場合も照明器具Ａが消灯した後は照明器具Ｂのみが点灯することになる。
【００１７】
次に、照明器具Ｂが点灯している状態で、図５に示すように、別の照明器具Ｃにより人Ｍが検知されるようになると、照明器具Ｃが点灯するとともに照明器具ＣからグループＧ１内の他の照明器具１０に人の存在が通知される。ここで、離れた場所に配置されたグループＧ１内の２個の照明器具Ｂ，Ｃから人Ｍの存在が通知されることになる。各照明器具１０では同じグループＧ１内の２個の照明器具１０から人Ｍの存在が通知されると照明負荷１１を点灯させるように設定されており、このことによってグループＧ１内のすべての照明器具１０が点灯することになる。
【００１８】
逆に、図５の状態から１人の人ＭがグループＧ１から出たときには、再び１箇所の照明器具１０からのみグループＧ１内の他の照明器具１０に通知がなされるから、１人の人Ｍが検知されなくなってから点灯保持時間の経過後に人Ｍの存在する場所に対応した照明器具１０のみが点灯する状態になる。また、グループＧ１内に人Ｍがいなくなれば点灯保持時間の経過後にすべての照明器具１０が消灯する。
【００１９】
上述のように、各照明器具１０に人感センサ１２を設けていることによって、人Ｍを検知している照明器具１０の個数によってグループＧ１内に存在するおよその人数や位置がわかるから、それらの情報に基づいて各照明器具１０が点灯するか否かを判断して必要な場所の照明器具１０のみが点灯するのである。ここで、存在する人数をより正確に把握するには照明器具１０の個数を増やし人感センサ１２の検知エリアを狭くすればよいが、照明器具１０の個数や人感センサ１２の検知エリアは必要に応じて適宜に設定される。
【００２０】
上述のように、本基本構成の構成によって、人数に応じた照明の形態を選択することが可能になり、たとえば、人が多いほど明るく照明するといった制御が可能になり、快適な照明空間を創出することができる。
【００２１】
なお、照明器具１０間の情報の伝送形態については、上述の動作が可能になるものであればどのようなものでもよいが、たとえば、各照明器具１０ごとに固有のアドレスを設定しておき、照明器具１０同士がアドレスを用いて相互にデータを伝送するものや、別途に集中管理装置を設けて各照明器具１０で発生したデータを集中管理装置を介して他の照明器具１０に伝送するものを用いることができる。また、各照明器具１０ごとにアドレスを設定しなくてもグループを識別する情報のみを持たせ、グループ内の各照明器具１０が人感センサ１２による検知情報を異なるタイミングでサイクリックに送出するようにしておけば、１周期（たとえば、１秒程度に設定する）内で何台の照明器具１０が人の存在を通知したかを計数することで、グループに対応するエリア内に存在する人数を知ることができる。上述の例では各照明器具１０が点灯するか否かを個別に判断する分散処理型の構成になっているが、図６のように、集中管理装置２０を用いる場合には集中管理装置２０側で各照明器具１０を点灯させるか否かを判断する構成としてもよい。
【００２２】
（実施形態１）
基本構成ではグループ内の照明器具１０間でのみ人感センサ１２の検知情報を伝送していたが、本実施形態は、複数のグループに跨がるように情報を伝送することを可能としたものである。
【００２３】
本実施形態は、図７に示すように、照明器具１０をグループＧ１〜Ｇ３に分ける点は基本構成と同様であるが、複数のグループＧ１〜Ｇ３をまとめた大グループＧ０１を形成した点で基本構成とは異なる。つまり、各グループＧ１〜Ｇ３内の照明器具１０でのみ人感センサ１２の検知情報を伝送するのではなく、他のグループＧ１〜Ｇ３へも人感センサ１２の検知情報を伝送する。本実施形態では一つのグループＧ１〜Ｇ３に存在する人数が多くなると他のグループＧ１〜Ｇ３の照明器具１０も点灯させるようになっている。
【００２４】
以下に、図面に基づいて動作を具体的に説明する。図８のようにグループＧ１に人Ｍが２人いるものとする。このとき、基本構成と同様にグループＧ１のすべての照明器具１０が点灯する。ただし、この人数では大グループＧ０１内の他のグループＧ２，Ｇ３の照明器具１０は点灯しないが、他のグループＧ２，Ｇ３の照明器具１０にもグループＧ１内で何人の人Ｍが検知されているかは通知される。
【００２５】
このとき、図９に矢印で示すように、グループＧ１に別の人Ｍが入ったとすると、グループＧ１内には３人の人Ｍが存在するようになる。そこで、大グループＧ０１内の他のグループＧ２，Ｇ３でもグループＧ１には３人程度の人Ｍが存在することを認識する。このように、一つのグループＧ１の人数が規定人数（ここでは３人）になると、大グループＧ０１の中の他のグループＧ２，Ｇ３には人がいなくても図１０に示すように大グループＧ０１の中のすべての照明器具１０が点灯する。
【００２６】
逆に、図１１に示すように人がグループＧ１に対応するエリアから出て、グループＧ１内で検出されている人数が減少すると上記規定人数を満たさなくなり、大グループＧ０１内の他の照明器具１０が消灯し、グループＧ１内の照明器具１０のみが点灯する状態になる。
【００２７】
グループＧ１〜Ｇ３間の情報伝送は基本構成における照明器具１０間での情報伝送と同様にすればよい。上述のような制御を行なえば、省エネルギのために各グループＧ１〜Ｇ３に含まれる照明器具１０の個数を少なくしたとしても、一つのグループＧ１〜Ｇ３に対応するエリア内の人数が多くなれば他のグループＧ１〜Ｇ３の照明器具１０も合わせて点灯させるから、人数が増加したときに一つのグループＧ１〜Ｇ３の狭いエリアのみを照明する場合に比較して閉鎖感が少なくなり、快適な照明が得られる。つまり、省エネルギと快適さとを両立させることができる。
【００２８】
なお、上述の例では一つのグループＧ１〜Ｇ３の中で３個の人感センサ１２が人Ｍを検知しているときに大グループＧ０１のすべての照明器具１０を点灯させるようにしていたが、何個の人感センサ１２が人Ｍを検知したときに大グループＧ０１のすべての照明負荷１０を点灯させるかは、各グループＧ１〜Ｇ３に含まれる照明器具１０の個数によって決められる。つまり、各グループＧ１〜Ｇ３を構成する照明器具１０の個数が多いほど大グループＧ０１のすべての照明負荷１０を点灯させる条件の人数を多く設定することになる。
【００２９】
（実施形態２）
本実施形態は、実施形態１と同様に、一つのグループに対応するエリア内の人数が増加すれば他のグループの照明負荷も点灯させるものであるが、大グループを設定する代わりに、隣接するグループの照明負荷を点灯させるものである。すなわち、図１２に示すように、複数の照明負荷１０をグループＧ１〜Ｇ５に分けてあり、たとえばグループＧ１に２人の人Ｍが存在すれば図１３のようにグループＧ１の照明負荷１０をすべて点灯させる。この動作は実施形態１と同様である。ここで、図１４に矢印で示すように、グループＧ１に対応するエリア内にさらに２人の人Ｍが入ったときに、本実施形態では図１５に示すように、グループＧ１に隣接するグループＧ２〜Ｇ４に含まれる照明負荷１０を点灯させるようになっている。このような制御によって、人の存在する場所の周辺のみのグループＧ１〜Ｇ４で照明負荷１０が点灯するから、無駄がなく省エネルギでありしかも閉塞感のない快適な照明空間を形成することができる。本実施形態においても、グループＧ１に対応するエリア内の人数が少なくなれば、図１６に矢印で示すように周辺のグループＧ２〜Ｇ４の照明器具１０を消灯させてグループＧ１内の照明負荷１０のみを点灯させる状態になるのはもちろんのことである。
【００３０】
ここにおいて、各グループＧ１〜Ｇ５が他のどのグループＧ１〜Ｇ５に隣接しているかの関係は、あらかじめ各照明器具１０に設定してあり、その関係に基づいて各照明器具１０の制御部１３が上述の判断を行なうのである。また、本実施形態においても集中管理装置を用いて集中管理装置がグループＧ１〜Ｇ５の隣接関係を管理するようにしてもよい。他の構成および動作は基本構成と同様である。
【００３１】
（参考例１）
上述の基本構成及び各実施形態では、照明器具１０は点灯と消灯とを行なうのみであったが、本参考例では調光点灯の可能な照明器具１０を用いている。本参考例においても複数の照明器具１０がグループＧ１〜Ｇ３に分けられており、基本構成と同様に人感センサ１２で人Ｍが検出されると、そのグループＧ１〜Ｇ３の中の照明器具１０が点灯するようになっている。ただし、各照明器具１０はどの照明器具１０に隣接して配置されているかの情報があらかじめ設定されており、人感センサ１２で人Ｍを検知した照明器具１０に隣接する照明器具１０が１００％点灯（定格点灯）するようになっている。また、人感センサ１２が人Ｍを検知した照明器具１０を含むグループＧ１〜Ｇ３内で当該照明器具１０に隣接する照明器具１０を除く他の照明器具１０は調光点灯（たとえば５０％点灯）するようになっている。ここで、照明器具１０は縦横に列設されており、隣接する照明器具１０とは、縦方向および横方向の両側各１個ずつで合計４個の照明器具１０を意味する。
【００３２】
本参考例の動作を図に基づいて具体的に説明する。いま、人Ｍが図１７における照明器具Ｃの直下にいるものとすれば、照明器具Ｃは１００％点灯し、その近傍に配置されている４個の照明器具Ａ，Ｂ，Ｄ，Ｅも１００％点灯する。また、同グループＧ１内の他の照明器具１０は５０％点灯する（５０％点灯は右下がり斜線で示し、消灯は左下がり斜線で示してある）。このような制御は、人Ｍを検知している人感センサ１２を備えた照明器具Ｃからの情報を受け取ったグループＧ１内の他の照明器具１０が照明器具Ｃの近傍か否かを判断し、近傍であるときには１００％点灯し、近傍でなければ５０％点灯するように制御部１３を構成することにより実現される。
【００３３】
図１８に示すように、人Ｍが照明器具Ｃの直下から照明器具Ｆの直下に移動すると、照明器具Ｆの近傍に配置されている照明器具Ｂ，Ｅ，Ｇ，Ｈが１００％点灯し、グループＧ１内の他の照明器具１０は５０％点灯することになる。ここに、照明器具Ａ，Ｃ，Ｄは、照明器具Ｆで人Ｍが検知されたことが通知されてから点灯保持時間の経過後に１００％点灯から５０％点灯に移行する。
【００３４】
また、図１９に示すように、図１７の状態でグループＧ１に対応するエリアに新たに人Ｍが入ってきたときには、その人Ｍを検知している照明器具１０とその近傍の照明器具１０とが１００％点灯になる。グループＧ1 に対応するエリアに人Ｍが存在しなくなれば点灯保持時間の経過後にすべての照明器具１０が消灯するのはもちろんのことである。
【００３５】
上述のような動作によって、それぞれの人が存在する場所の近傍は１００％点灯で明るく照明され、また複数人が存在するときに人の間が多少離れていても５０％点灯で照明されるから、コミュニケーションに差支えない程度の明るさを得ることができる。しかも、人の近傍以外は５０％点灯状態であって省エネルギにもなる。つまり、快適さと省エネルギとを両立することができる。
【００３６】
本参考例では、人の近傍を１００％点灯とし他の部位を５０％点灯としているが、人の直上の照明器具１０の光出力≧人の直上以外で人の近傍の照明器具１０の光出力＞グループ内の他の照明器具１０の光出力という関係を満たし、かつ上述の目的を達成することができる範囲であれば、各照明器具１０の光出力は適宜に設定することができる。また、照明器具１０間の情報の伝送形態を含めて他の構成および動作は基本構成と同様である。
【００３７】
（参考例２）
上述した基本構成及び各実施形態並びに参考例では、いずれかの照明器具１０の人感センサ１２で人が検知され、その後、人が検知されなくなると、その照明器具１０は点灯保持時間の経過後に消灯するように構成されていた。これは、人感センサ１２として一般には焦電素子が用いられており、焦電素子は変化点のみを検出する微分型センサであるから検知エリア内に人がいても人が動かなければ人を検知することができず、検知エリア内に人がいるにもかかわらず人が居ないと誤判断することがあるからである。しかしながら、人が別の場所に移動したことが明らかであれば、人がいないにもかかわらず照明器具１０の点灯状態を点灯保持時間だけ保持するのはエネルギの無駄になる。
【００３８】
そこで、本参考例では図２０に示すように照明器具１０をグループＧ１，Ｇ２に分けておき、いずれかのグループＧ１，Ｇ２で人が検知されなくなった後に隣接するグループＧ１，Ｇ２で人が検知されたときには人がグループＧ１，Ｇ２間を移動したと判断し、最初に人がいたグループＧ１，Ｇ２の照明器具１０をただちに消灯させるものである。この種の制御は、主としてグループＧ１，Ｇ２が隣接する部屋に設定されている場合や、同室内でもグループＧ１，Ｇ２間で何らかの区切りが施されているような場合に有効である。
【００３９】
以下に動作を説明する。いま、図２１（ａ）のように人ＭがグループＧ１に対応するエリアから図２１（ｂ）のようにグループＧ２に対応するエリアに移動したとすると、グループＧ１の照明器具１０の人感センサ１２では検知から非検知に変化し、グループＧ２の照明器具１０の人感センサ１２では非検知から検知に変化する。これは両グループＧ１，Ｇ２が隣接して配置されているからである。この場合、グループＧ２の照明器具１０は当然点灯する。ここで、本参考例ではグループＧ１，Ｇ２を越えて人感センサ１２の検知情報が伝送されるようにしてあり、グループＧ２で人Ｍが検知されたという情報はグループＧ１にも伝送されるようになっている。そこで、グループＧ１の照明器具１０では人Ｍが検知されなくなった直後にグループＧ２で人Ｍが検知されたという情報を受け取ると、人ＭがグループＧ１に対応するエリアからグループＧ２に対応するエリアに移動したものと判断し、グループＧ１の照明器具１０をただちに消灯させる。このような制御によって点灯状態を点灯保持時間だけ継続させることによるエネルギの無駄な消費を防止することができる。
【００４０】
図に基づいて動作を具体的に説明する。いま、図２１に示すように、グループＧ１の照明器具Ａの人感センサ１２の検知エリアからグループＧ２の照明器具Ｂの人感センサ１２の検知エリアに人Ｍが移動したとする。このとき、図２２に示すように、照明器具Ａの人感センサ１２で人Ｍが検知されなくなった後（図２２（ａ））、照明器具Ｂの人感センサ１２で人Ｍが検知されるようになる（図２２（ｂ））。上述した基本構成及び各実施形態並びに参考例では照明器具Ａの人感センサ１２で人Ｍが検知されなくなった後に点灯保持時間Ｔ１は照明器具Ａの点灯状態を継続するが（図２２（ｃ）の二点鎖線）、本参考例では照明器具Ｂの人感センサ１２で人Ｍが検知されると照明器具Ａをただちに消灯させるのである。また、照明器具Ｂの人感センサ１２で人Ｍが検知されると照明器具Ｂが点灯するのは他の基本構成及び各実施形態並びに参考例と同様である（図２２（ｄ））。
【００４１】
なお、グループＧ２で人Ｍが検知されてもグループＧ１に対応するエリアに人Ｍが残っている場合にはグループＧ１の照明器具１０をただちに消灯させることはなく、グループＧ１に対応するエリアから最後に人Ｍがいなくなったときに上述の制御を行なうようにしてある。
【００４２】
上述の例ではグループＧ１，Ｇ２が区切られた空間に配置され、人感センサ１２の検知エリアが重複していない関係を想定したが、グループＧ１，Ｇ２が区切られた空間に配置されておらず、かつ隣接するグループＧ１，Ｇ２間で人感センサ１２の検知エリアの一部が重複している場合でも、人Ｍが複数のグループＧ１，Ｇ２の人感センサ１２で重複して検出されている期間と、一方のグループＧ１，Ｇ２の人感センサ１２でのみ検出される期間との推移に基づいて一方のグループＧ１，Ｇ２の照明器具１０をただちに消灯させるように制御することが可能である。
【００４３】
また、上述の動作ではグループＧ１で人Ｍが検知されなった後にグループＧ２で人Ｍが検知されるとグループＧ１の照明器具１０をただちに消灯させているが、点灯保持時間よりも短い所定時間だけ点灯を継続させるようにしてもよい。あるいは、人Ｍを検知しなくなったグループＧ１の照明器具１０を消灯させるのではなく調光点灯状態としてもよい。これらの動作状態を適宜に組み合わせることによって、快適さと省エネルギとのバランスを保つことが可能になる。他の構成および動作は基本構成と同様である。
【００４４】
（参考例３）
本参考例は、図２３に示すように、照明器具１０に２個の人感センサ１２ａ，１２ｂを設けたものである。両人感センサ１２ａ，１２ｂの検知エリアＥａ，Ｅｂは、図２４のように並設してある。したがって、人Ｍが検知エリアＥａ，Ｅｂを順に通過するように移動すれば、各人感センサ１２ａ，１２ｂで人Ｍが順次検知されることになる。
【００４５】
本参考例では、一方の人感センサ１２ａ，１２ｂで人Ｍが検知されなくなった直後に（もしくは両人感センサ１２ａ，１２ｂで所定の短時間だけ同時に人Ｍが検知された後に）他方の人感センサ１２ｂ，１２ａで人Ｍが検知され、さらにその人感センサ１２ｂ、１２ａでも人Ｍが規定時間内に検知されなくなった場合には（図２５（ａ）（ｂ））、人Ｍが別の照明器具１０に対応する場所に移動したものと判断し、図２５（ｃ）のように照明器具１０をただちに消灯させるようになっている。つまり、本参考例も人が移動したことが確実であると参考例２と同様に点灯保持時間Ｔ１を持たせずに照明器具１０を消灯させるのであり、省エネルギにつながるものである。なお、図２５（ｃ）の二点鎖線は点灯保持時間Ｔ１を持つ場合の動作を示す。また、人Ｍが通過したか否かを判断する規定時間は、人の平均移動速度を１．５ｍ／ｓ、検知エリアＥａ，Ｅｂの広さを直径３ｍと考えれば、２秒程度になる。この構成によって、人Ｍが単に通過したときには照明器具１０をただちに消灯させて省エネルギを図り、人Ｍがとどまっているときには照明器具１０を誤検知なく点灯させて快適さを保つことができる。
【００４６】
２個の人感センサ１２ａ，１２ｂを持つ場合の検知エリアＥａ、Ｅｂの設定形状は上述のものに限定されず、図２６に示すように、一方の検知エリアＥａを囲むように他方の検知エリアＥｂを設定してもよい。この場合には、図２７に示すように、一方の人感センサ１２ｂで人Ｍが検知されてから、他方の人感センサ１２ａで人Ｍが短時間だけ検知され、その後、上記一方の人感センサ１２ｂで人が短時間だけ検出された後に人Ｍが検知されなくなれば（図２７（ａ）（ｂ））、図２７（ｃ）のように照明器具１０をただちに消灯させればよい。ここに、照明器具１０の点灯のタイミングは、図２７（ｃ）のように検知エリアＥａを内側に設定した人感センサ１２ａで人Ｍが検知された時点である。なお、図２７（ｃ）に二点鎖線で示すのは点灯保持時間Ｔ１を持つ場合である。
【００４７】
本参考例では照明器具１０が２個の人感センサ１２ａ，１２ｂを備える例を示したが、図２８に示すように、３個の人感センサを照明器具１０に設けてそれぞれ検知エリアＥａ，Ｅｂ，Ｅｃを並設してもよい。つまり、図２４に示した構成と図２６に示した構成とを組み合わせたものになる。他の構成および動作は基本構成と同様である。
【００４８】
【発明の効果】
請求項１の発明は、検知エリア内での人の存否を検知する複数個の人感センサと、複数の照明器具とを備え、人感センサおよび照明器具が複数のグループに分けられるとともに、各グループ内で人感センサにより検知された人数に基づいて、少なくともそのグループ内のあらかじめ定められた数の照明器具の点灯状態を変化させる照明装置において、グループ内で検知された人数が規定数以上であると、隣接するグループの照明器具を点灯させて、規定数未満のときよりも多くの照明器具を点灯させるものであり、グループ内の人数に応じて照明器具の点灯状態を変化させるから、人数に応じて省エネルギと快適性とを両立させるように制御することが可能になるという利点に加えて、一つのグループ内の照明器具の個数を比較的少数として省エネルギを図りながらも、人数が多くなりコミュニケーションが必要になれば、グループを越えて多数の照明器具を点灯させることで、コミュニケーションに支障がなく、快適な照明を行なうことができるという利点がある。
【００４９】
請求項２の発明は、検知エリア内での人の存否を検知する複数個の人感センサと、複数の照明器具とを備え、人感センサおよび照明器具が複数のグループに分けられるとともに、各グループ内で人感センサにより検知された人数に基づいて、少なくともそのグループ内のあらかじめ定められた数の照明器具の点灯状態を変化させる照明装置において、グループ内で検知された人数が規定数以上であると、あらかじめ複数のグループを含むように設定した大グループ内の照明器具を点灯させて、規定数未満のときよりも多くの照明器具を点灯させるものであり、グループ内の人数に応じて照明器具の点灯状態を変化させるから、人数に応じて省エネルギと快適性とを両立させるように制御することが可能になるという利点に加えて、一つのグループ内の照明器具の個数を比較的少数として省エネルギを図りながらも、人数が多くなりコミュニケーションが必要になれば、グループを越えて多数の照明器具を点灯させることで、コミュニケーションに支障がなく、快適な照明を行なうことができるという利点がある。
【００５０】
請求項３の発明のように、請求項１又は２の発明において、各照明器具がそれぞれ人感センサを備えるものでは、人感センサの検知エリアと照明器具の照明範囲とを対応付けることができ、人数に応じた照明器具の点灯状態の制御がより容易になるという利点がある。
【図面の簡単な説明】
【図１】  本発明の基本構成を示すシステム構成図である。
【図２】  同上の動作説明図である。
【図３】  同上の動作説明図である。
【図４】  同上の動作説明図である。
【図５】  同上の動作説明図である。
【図６】  同上の他のシステム構成図である。
【図７】  本発明の実施形態１の動作説明図である。
【図８】  同上の動作説明図である。
【図９】  同上の動作説明図である。
【図１０】  同上の動作説明図である。
【図１１】  同上の動作説明図である。
【図１２】  本発明の実施形態２の動作説明図である。
【図１３】  同上の動作説明図である。
【図１４】  同上の動作説明図である。
【図１５】  同上の動作説明図である。
【図１６】  同上の動作説明図である。
【図１７】  本発明の参考例１の動作説明図である。
【図１８】  同上の動作説明図である。
【図１９】  同上の動作説明図である。
【図２０】  本発明の参考例２の動作説明図である。
【図２１】  同上の動作説明図である。
【図２２】  同上の動作説明図である。
【図２３】  本発明の参考例３に用いる照明器具のブロック図である。
【図２４】  同上の動作説明図である。
【図２５】  同上の動作説明図である。
【図２６】  同上の動作説明図である。
【図２７】  同上の動作説明図である。
【図２８】  同上の動作説明図である。
【図２９】  従来例を示す動作説明図である。
【符号の説明】
１０  照明器具
１１  照明負荷
１２  人感センサ
１３  制御部
１４  通信部
Ｌｐ  電源線
Ｌｓ  信号線
【図１】
0003747582.tif 000002
【図２】
0003747582.tif 000003
【図３】
0003747582.tif 000004
【図４】
0003747582.tif 000005
【図５】
0003747582.tif 000006
【図６】
0003747582.tif 000007
【図７】
0003747582.tif 000008
【図８】
0003747582.tif 000009
【図９】
0003747582.tif 000010
【図１０】
0003747582.tif 000011
【図１１】
0003747582.tif 000012
【図１２】
0003747582.tif 000013
【図１３】
0003747582.tif 000014
【図１４】
0003747582.tif 000015
【図１５】
0003747582.tif 000016
【図１６】
0003747582.tif 000017
【図１７】
0003747582.tif 000018
【図１８】
0003747582.tif 000019
【図１９】
0003747582.tif 000020
【図２０】
0003747582.tif 000021
【図２１】
0003747582.tif 000022
【図２２】
0003747582.tif 000023
【図２３】
0003747582.tif 000024
【図２４】
0003747582.tif 000025
【図２５】
0003747582.tif 000026
【図２６】
0003747582.tif 000027
【図２７】
0003747582.tif 000028
【図２８】
0003747582.tif 000029
【図２９】
0003747582.tif 000030